(57)【要約】      （修正有）【課題】製作誤差による、把手挿入用隙間の幅のばらつきをなくした清掃体及び清掃用具を提供する。【解決手段】重合シート６、基礎シート５及び清掃部７の左右方向中央部が、前後方向に連続する中央溶着部９により熱溶着され、重合シート、基礎シート及び清掃部の左右各側部が、前後方向に配設された側部溶着部１１により熱溶着され、重合シートと基礎シートとの間における、中央溶着部９と側部溶着部１１との間が、把手３の挿入部２９が挿入される挿入用隙間１９とされ、挿入用隙間の前後端部が、挿入部を挿入用隙間に挿入するための挿入用開口とされている。側部溶着部１１が、前後方向に間隔を置いて設けられた複数の非連続溶着部６１を有し、挿入用開口の外側方に、複数の非連続溶着部からなる端部強化部６３が配置され、端部強化部の非連続溶着部の間隔６４が、他の非連続溶着部の間隔６５よりも小とされている。【選択図】図４
0003202859.tif 000002
【実用新案登録請求の範囲】
【請求項１】
ａ．不織布製の基礎シートと、
ｂ．基礎シート上に重合された不織布製の重合シートと、
ｃ．基礎シートの下面に備えられ、左右方向に流れる繊維状素材から成る清掃部と
を有し、
基礎シート、重合シート及び清掃部の左右方向中央部が、これらの上下方向全長にわたって形成され且つ前後方向に連続する中央溶着部により熱溶着され、
基礎シート、重合シート及び清掃部の左右各側部が、それぞれ、前後方向に配設された側部溶着部により熱溶着され、
基礎シートと重合シートとの間における、中央溶着部と各側部溶着部との間が、把手の左右一対の挿入部がそれぞれ挿入される挿入用隙間とされ、
挿入用隙間の前端部及び／又は後端部が、挿入部を挿入用隙間に挿入するための挿入用開口とされた清掃体であって、
各側部溶着部が、前後方向に間隔を置いて設けられた複数の非連続溶着部を有し、
非連続溶着部が、基礎シート、重合シート及び清掃部の上下方向全長にわたって形成され、
各側部溶着部において、挿入用開口の外側方に、前後方向に並設された複数の非連続溶着部からなる端部強化部が配置され、
端部強化部の非連続溶着部の間隔が、他の非連続溶着部の間隔よりも小とされたことを特徴とする清掃体。
【請求項２】
端部強化部の非連続溶着部が、左右方向に関して、他の非連続溶着部よりも外側に配置された請求項１記載の清掃体。
【請求項３】
各側部溶着部が、
非連続溶着部の外側方に設けられ、前後方向に関して、対応する非連続溶着部と同    一位置とされた強化溶着部
を有し、
強化溶着部が、基礎シート、重合シート及び清掃部の上下方向全長にわたって形成された請求項１又は２記載の清掃体。
【請求項４】
α．請求項１〜３の何れかに記載の清掃体と、
β．清掃体の挿入用隙間に挿入部が挿入される把手と
を備えることを特徴とする清掃用具。
【考案の詳細な説明】
【技術分野】
【０００１】
本考案は、清掃体及び清掃用具に関する。
【背景技術】
【０００２】
従来、清掃用具として、拭き清掃を行なう清掃体と、この清掃体に備えられる把手とを備えるものがある（例えば、特許文献１参照）。
【０００３】
上記清掃体は、不織布製の基礎シートと、基礎シートの上面に重合される不織布製の重合シートと、基礎シートの下面に重合され且つ左右方向に流れる長い繊維及び／又は繊維束等の繊維状素材から成る刷毛状の清掃部とを備えている。
【０００４】
基礎シート、重合シート及び清掃部の左右方向中央部が、前後方向に連続する直線状とされた中央溶着部により溶着され、基礎シート、重合シート及び清掃部の左右各側部が、それぞれ、前後方向に連続する直線状とされた側部溶着部により溶着されている。この溶着は、上下一対のヒートローラ（ヒートロール）等により行なわれる。
【０００５】
基礎シートと重合シート間における、中央溶着部と各側部溶着部との間は、左右一対の偏平な筒状の挿入用隙間とされ、挿入用隙間の前後端には、前方又は後方に開口する挿入用開口が形成されている。
【０００６】
上記把手は、把持部と左右一対の偏平な挿入部を有しており、各挿入部は、各挿入用隙間に、それぞれ、挿入される。
【先行技術文献】
【特許文献】
【０００７】
【特許文献１】特許第４０５００３５号公報
【考案の概要】
【考案が解決しようとする課題】
【０００８】
ところで、中央溶着部は、清掃部の上下方向全長にわたって形成されるが、これと同様に、側部溶着部も、清掃部の上下方向全長にわたって形成すると、清掃部の左右方向中央部の全ての繊維状素材が中央溶着部と側部溶着部とにより拘束されるため、清掃部の左右方向中央部の清掃機能が悪化するとの問題が生じる。
【０００９】
この問題は、中央溶着部と側部溶着部を同時に形成することで生じる。そこで、中央溶着部の形成後に、清掃部の上部側のみを基礎シート及び重合シートに熱溶着して、側部溶着部を形成し、清掃部の下部側には側部溶着部を形成しないようにすることが考えられる。このようにすれば、清掃部の左右方向中央部の清掃機能の悪化を抑制できる。
【００１０】
しかし、このように、中央溶着部の形成後に側部溶着部を形成すると、製造上の誤差により、中央溶着部と側部溶着部との左右方向に関する距離にばらつきが生じて、挿入用隙間の左右方向に関する幅にばらつきが生じ易い。このように、挿入用隙間の幅にばらつきが生じると、把手の挿入部が挿入用隙間から抜け易くなったり、或いは、挿入部を挿入用隙間に挿入することが困難となる。
【００１１】
本考案は上記問題を解決でき、把手が挿入用隙間から抜け易くなったり、或いは、把手を挿入用隙間に挿入することが困難となることを防止できる清掃体及び清掃用具を提供することを目的とする。
【課題を解決するための手段】
【００１２】
上記目的を達成するために、本考案の清掃体の特徴とするところは、ａ．不織布製の基礎シートと、ｂ．基礎シート上に重合された不織布製の重合シートと、ｃ．基礎シートの下面に備えられ、左右方向に流れる繊維状素材から成る清掃部とを有し、基礎シート、重合シート及び清掃部の左右方向中央部が、これらの上下方向全長にわたって形成され且つ前後方向に連続する中央溶着部により熱溶着され、基礎シート、重合シート及び清掃部の左右各側部が、それぞれ、前後方向に配設された側部溶着部により熱溶着され、基礎シートと重合シートとの間における、中央溶着部と各側部溶着部との間が、把手の左右一対の挿入部がそれぞれ挿入される挿入用隙間とされ、挿入用隙間の前端部及び／又は後端部が、挿入部を挿入用隙間に挿入するための挿入用開口とされた清掃体であって、各側部溶着部が、前後方向に間隔を置いて設けられた複数の非連続溶着部を有し、非連続溶着部が、基礎シート、重合シート及び清掃部の上下方向全長にわたって形成され、各側部溶着部において、挿入用開口の外側方に、前後方向に並設された複数の非連続溶着部からなる端部強化部が配置され、端部強化部の非連続溶着部の間隔が、他の非連続溶着部の間隔よりも小とされた点にある。
尚、端部強化部の非連続溶着部が、左右方向に関して、他の非連続溶着部よりも外側に配置されることもある。
又、各側部溶着部が、非連続溶着部の外側方に設けられ、前後方向に関して、対応する非連続溶着部と同一位置とされた強化溶着部を有し、強化溶着部が、基礎シート、重合シート及び清掃部の上下方向全長にわたって形成されることもある。
更に、本考案の清掃用具の特徴とするところは、α．上記清掃体と、β．清掃体の挿入用隙間に挿入部が挿入される把手とを備える点にある。
【考案の効果】
【００１３】
以上詳述したように、本考案によれば、中央溶着部と側部溶着部を同時に形成できるので、中央溶着部と側部溶着部との左右方向に関する距離にばらつきが生じることがなく、挿入用隙間の左右方向に関する幅にばらつきが生じることがない。それ故、挿入用隙間の幅にばらつきが生じて、把手の挿入部が挿入用隙間から抜け易くなったり、或いは、挿入部を挿入用隙間に挿入することが困難となることがない。又、中央溶着部と側部溶着部を同時に形成できるので、清掃体の製造工程数を削減でき、清掃体の製造コストも削減できる。
又、側部溶着部の非連続溶着部が前後方向に間隔を置いて形成されているので、非連続溶着部が清掃部の上下方向全長にわたって形成されているにもかかわらず、清掃部の左右方向中央部の全ての繊維状素材が側部溶着部により拘束されない。そのため、清掃部の左右方向中央部の清掃機能が悪化することを抑制できる。
更に、把手の挿入部を清掃体の挿入用隙間に挿入した際に、挿入用開口の外側方に位置する端部強化部に挿入部から外力が作用する場合がある。しかし、端部強化部の非連続溶着部の間隔が他の非連続溶着部の間隔よりも短くされて、端部強化部の強度が大とされているので、上記の場合に、端部強化部が破損、損傷する惧れが少ない。又、端部強化部により、側部溶着部の強度も大とでき、清掃体の把手への装着強度を大とできる。
請求項２記載の考案によれば、端部強化部の非連続溶着部が、左右方向に関して、他の非連続溶着部よりも外側に配置されて、挿入用開口の左右方向の幅が、挿入用隙間の他の部分よりも大とされているので、把手を挿入用隙間に容易に挿入できる。
請求項３記載の考案によれば、強化溶着部により、側部溶着部の強度を強化でき、清掃体の把手への装着強度を大とできる。又、側部溶着部において、非連続溶着部の他に強化溶着部が形成されたにもかかわらず、強化溶着部が、前後方向に関して、対応する非連続溶着部と同一位置とされているので、清掃部における、側部溶着部により拘束される繊維状素材の量の増大を抑制できる。それ故、強化溶着部の形成による、清掃部の清掃機能の悪化を抑制できる。
【図面の簡単な説明】
【００１４】
【図１】本考案の実施の形態の一例を示す斜視図である。
【図２】図１の一部分解斜視図である。
【図３】図１の一部平面図である。
【図４】図３の重合シートを除去した状態を示す平面図である。
【図５】図４のＡ−Ａ線矢視断面図である。
【図６】図４のＢ−Ｂ線矢視断面図である。
【図７】図１の清掃体の分解斜視図である。
【図８】図１の把手の平面図である。
【図９】図８の把手の一部断面平面図である。
【図１０】図９のＣ−Ｃ線矢視断面図である。
【図１１】図１０とは異なる姿勢を示す断面図である。
【考案を実施するための形態】
【００１５】
以下、本考案の清掃用具の実施の形態の一例を図面に基づき説明すると、図１〜図６に示すように、清掃用具１は、清掃体２と、把手３とを有する。
【００１６】
図７にも示すように、清掃体２は、基礎シート５と、重合シート６と、清掃部７とを有している。
【００１７】
基礎シート５及び重合シート６は、不織布製とされ、前後方向Ｆに細長い長方形状とされると共に、左右方向Ｌの幅に関して、（略）同一寸法とされている。基礎シート５は、重合シート６よりも前後方向Ｆに長くされ、この基礎シート５の前後方向中央部側の上面に重合シート６が配置、重合されている。基礎シート５及び重合シート６の各側縁は、波形状とされている。
【００１８】
上記不織布としては、サーマルボンド不織布、スパンボンド不織布、エアースルーボンド不織布、スパンレース不織布等が使用される。上記不織布に使用される繊維は、熱可塑性繊維（熱融着性繊維）、又は、該繊維を一部含む繊維である。熱可塑性繊維としては、ポリエチレン（ＰＥ）、ポリプロピレン（ＰＰ）、ポリエチレンテレフタレート（ＰＥＴ）等の繊維、又は、これらの２種以上の繊維が使用される。なお、基礎シート５及び重合シート６を、ＰＥフィルムやＰＰフィルム等の熱可塑性樹脂フィルムから構成してもよい。
【００１９】
清掃部７は、清掃対象に対して拭き清掃を行なうためのもので、基礎シート５の下方に配置されて、その左右各側部が、それぞれ、（略）同一長さだけ、基礎シート５よりも外側方に突出している。清掃部７の前後方向長さは、重合シート６の前後方向長さと（略）同一とされており、前後方向Ｆに関して、清掃部７の前後端は重合シート６の前後端と（略）一致している。尚、清掃部７の前後方向長さを、重合シート６よりも長くしたり、或いは、短くしたりすることもある。
【００２０】
清掃部７は、左右方向Ｌに流れる（配置される）長い繊維及び／又は繊維束等の繊維状素材により構成されている。清掃部７を構成する繊維としては、ポリエチレン（ＰＥ）、ポリプロピレン（ＰＰ）、ポリエチレンテレフタレート（ＰＥＴ）、レーヨン、ポリアミド系等の繊維、又は、これらの２種以上の繊維が使用される。
【００２１】
上記のように積層された重合シート６、基礎シート５及び清掃部７の左右方向中央部は、上下（厚さ）方向全長にわたって形成された中央溶着部（中央接合部）９で、一体に溶着（接合）されている。中央溶着部９は、前後方向Ｆに連続した直線状に形成されている。中央溶着部９の前後端は、前後方向に関して、重合シート６及び清掃部７の前後端と一致している。
【００２２】
中央溶着部９の左右両側では、重合シート６、基礎シート５及び清掃部７の左右両側部が、左右一対の側部溶着部（側部接合部）１１で、一体に溶着（接合）されている。中央溶着部９及び側部溶着部１１の溶着は、ヒートローラ等による熱シール、超音波シールにより行なわれる。基礎シート５及び重合シート６との間における、中央溶着部９と各側部溶着部１１との間が、偏平な左右一対の挿入用隙間１９とされ、各隙間１９の前後端には、前方又は後方に開口する前側・後側挿入用開口２０，２１が形成されている。
【００２３】
側部溶着部１１は、前後方向に間隔を置いて非連続に形成された複数の非連続溶着部６１と、強化溶着部６２とを有する。非連続溶着部６１の内、前後各端部に位置する、隣接する２個の非連続溶着部６１により、端部強化部６３が構成されている。この端部強化部６３の非連続溶着部６１は、左右方向に関して、他の非連続溶着部６１よりも外側に位置している。図４に示すように、端部強化部６３の非連続溶着部６１の間隔６４は、他の非連続溶着部６１の間隔６５よりも小とされている。尚、他の非連続溶着部６１の間隔６５は、（略）等間隔とされているが、等間隔とされないこともある。
【００２４】
非連続溶着部６１の内、前後方向中央部側の２個の非連続溶着部６１の外側方には、対応する非連続溶着部６１と前後方向に関して（略）同一位置とされた強化溶着部６２が配置されている。図６に示すように、対応する非連続溶着部６１と強化溶着部６２の左右方向に関する間隔６６は小とされている。非連続溶着部６１、中間強化溶着部６２は、清掃部７の上下方向全長にわたって形成されて、基礎シート５に接合されている。
【００２５】
図８〜図１１にも示すように、把手３は、清掃体２に着脱自在に備えられて、清掃時に使用者により把持されるもので、弾性変形可能な硬質樹脂製とされている。把手３は、挿入体２５と、挿入体２５とは別体とされ且つ挿入体２５から後方斜め上方に延設される把持体２６とを有している。
【００２６】
挿入体２５は、挿入体２５の後部を構成する基部２８と、基部２８から前方に突設された左右一対の挿入部２９とを有し、これらは一体形成されている。基部２８の後部の左右両端部を除く部分には、前部側の装着用凹部３０と、後部側の装着用穴３１とが形成されている。装着用凹部３０は下方に凹設されたもので、その底面からは、ロック体３２が一体的に立設されている。ロック体３２は、装着用凹部３０の底面から立設された立設部３３と、立設部３３から上方に突設された側面視台形状のロック部３４とから成る。装着用穴３１は上下方向Ｕに貫通形成されている。装着用穴３１の内面の各側面には、外側方に凹設された左右一対の凹設部３５が形成されている。
【００２７】
各挿入部２９は、清掃体２の各挿入用隙間１９に、後側の挿入用開口２１又は前側の挿入用開口２０から挿脱自在に挿入されるもので、内側棒状体３７と外側棒状体３８とを有する。これら内側棒状体３７と外側棒状体３８は左右方向Ｌに並設されて、外側棒状体３８は内側棒状体３７の外側方に配置され、両者間には、外側棒状体３８の内側方への湾曲状の弾性変形を許容する変形用隙間３９が形成されている。尚、この隙間３９の形成により、把手３を軽量化できる。
【００２８】
内側・外側棒状体３７，３８は、それぞれ、略前後方向に配設されているが、前端に向かうに従って内側方に移行するように、前後方向Ｆに対して傾斜状とされて、各挿入部２９は先細状とされている。外側棒状体３８の上記傾斜は、内側棒状体３７の傾斜よりも大とされている。尚、外側棒状体３８の前端を内側棒状体３７に対し左右方向Ｌに関して当接させる場合と、当接させずに、離間させる場合とがある。内側棒状体３７は外側棒状体３８よりも長くされて、外側棒状体３８よりも前方に突出しており、これにより、各挿入部２９はより一層先細状とされている。各棒状体３７，３８の前端部の上面は前下がりの傾斜面４１，４２とされて、各棒状体３７，３８は先細状とされている。
【００２９】
外側棒状体３８の外側縁部の前後部には、外側方に湾曲に突出する前側・後側抜止用凸部４４，４５が形成されている。そして、各挿入部２９が各挿入用隙間１９に後側の挿入用開口２１から挿入された際には、前側抜止用凸部４４が、側部溶着部１１の前から３番目と４番目の非連続溶着部６１の間に係脱自在に係合され、後側抜止用凸部４５が、側部溶着部１１の後から２番目と３番目の非連続溶着部６１の間に係脱自在に係合される。又、各挿入部２９が各挿入用隙間１９に前側の挿入用開口２０から挿入された際には、前側抜止用凸部４４が、側部溶着部１１の後から３番目と４番目の非連続溶着部６１の間に係脱自在に係合され、後側抜止用凸部４５が、側部溶着部１１の前から２番目と３番目の非連続溶着部６１の間に係脱自在に係合される。この係合により、把手３と清掃体２との前後方向Ｆに関する相対的な移動が阻止され、把手３の清掃体２からの不慮の脱落が阻止される。抜止用凸部４４，４５には、清掃用具１を軽量化するための軽量化用孔４６，４７が上下方向Ｕに貫通形成されている。尚、軽量化用孔４６，４７に、抜止用凸部４４，４５の内側方への弾性変形を許容する機能を持たせることもある。
【００３０】
把持体２６は、平面視が略長方形状とされた取付部４９と、取付部４９の後部から後方斜め上方に延設された把持部５０とを一体形成して成る。取付部４９の前部には、ロック体３２の立設部３３が挿通される挿通孔５１が上下方向Ｕに貫通形成されている。取付部４９の後端部の左右両側からは、左右一対の支持軸５２が外側方に突設され、これら支持軸５２が、基部２８の装着用穴３１の凹設部３５に弾性変形を介して挿入されることで、把持体２６は挿入体２５に支持軸５２を中心として揺動自在に備えられている。
【００３１】
この揺動により、把持体２６は、図１０に示す使用姿勢と、図１１に示す収納姿勢とに姿勢変更自在とされている。把持体２６の使用姿勢では、取付部４９が装着用凹部３０と装着用穴３１内に収容されて、取付部４９が装着用凹部３０の底面に当接すると共に、取付部４９の上側が基部２８の上面と（略）面一とされている。そして、ロック体３２の立設部３３が基部２８の挿通孔５１に挿通されて、ロック体３２のロック部３４が基部２８の上方に突出し、ロック部３４の下面が基部２８の上面と当接乃至小隙を介して対向することで、把持体２６の使用姿勢が維持される。このように、ロック体３２と基部２８とにより、把持体２６の使用姿勢をロックするロック機構が構成される。又、把持体２６の使用姿勢では、把持部５０が取付部４９から後方斜め上方に延設された姿勢とされる。
【００３２】
把持体２６の収納姿勢では、把持体２６の把持部５０が挿入体２５の下方に位置して、把持部５０の後端部が挿入部２９の下面に当接し、把持体２６はコンパクトな状態となる。把持体２６の姿勢の変更時には、ロック体３２及び／又は基部２８の弾性変形により、ロック部３４が基部２８の挿通孔５１に対して挿脱される。
【００３３】
上記構成例によれば、清掃体２を製造する際には、基礎シート５、重合シート６及び清掃部７を重ねて、上下一対のヒートローラ等による熱溶着により、中央溶着部９と側部溶着部１１を構成する。
【００３４】
ところで、本例では、中央溶着部９と側部溶着部１１が、何れも、清掃体２の上下方向全長にわたって形成されているので、中央溶着部９と側部溶着部１１を、上下一対のヒートローラ等による熱溶着により、同時に形成できる。従って、中央溶着部９と側部溶着部１１との左右方向に関する距離にばらつきが生じて、挿入用隙間１９の左右方向に関する幅にばらつきが生じることがない。それ故、挿入用隙間１９の幅にばらつきが生じて、把手３の挿入部２９が挿入用隙間１９から抜け易くなったり、或いは、挿入部２９を挿入用隙１９間に挿入することが困難となることがない。又、中央溶着部９と側部溶着部１１を同時に形成できるので、清掃体２の製造工程数を削減でき、清掃体２の製造コストも削減できる。
【００３５】
又、側部溶着部１１が、前後方向に間隔を置いて非連続に形成された複数の非連続溶着部６１と、前後方向中央部側の非連続溶着部６１の外側方に位置する強化溶着部６２とにより構成されているので、非連続溶着部６１と強化溶着部６２が清掃部７の上下方向全長にわたって形成されているにもかかわらず、清掃部７の左右方向中央部の全ての繊維状素材が側部溶着部１１により拘束されない。そのため、清掃部７の左右方向中央部の清掃機能が悪化することを抑制できる。特に、側部溶着部１１において、非連続溶着部６１の他に強化溶着部６２が形成されたにもかかわらず、強化溶着部６２が、前後方向に関して、対応する非連続溶着部６１と同一位置とされているので、清掃部７における、側部溶着部１１により拘束される繊維状素材の量の増大を抑制できる。それ故、強化溶着部６２の形成による、清掃部７の清掃機能の悪化を抑制できる。
【００３６】
清掃用具１を組み立てる際には、図２に示すように、把手３の把持体２６を使用姿勢として、ロック機構によりロックした後、把手３の挿入部２９を清掃体２の挿入用隙間１９に後側挿入用開口２１から挿入する。尚、清掃体２を前後逆にして、把手３の挿入部２９を前側挿入用開口２０から挿入用隙間１９に挿入することもある。
【００３７】
ところで、後側挿入用開口２１の外側方に位置する端部強化部６３の非連続溶着部６１は、左右方向に関して、他の非連続溶着部６１よりも外側に配置され、後側挿入用開口２１の左右方向の幅が、挿入用隙間１９の他の部分よりも大とされているので、挿入部２９を挿入用隙間１９に容易に挿入できる。
【００３８】
又、この挿入時に、後側挿入用開口２１の外側方に位置する、端部強化部６３に挿入部２９から外力が作用する場合もある。しかし、端部強化部６３の２個の非連続溶着部６１の間隔６４が他の非連続溶着部６１の間隔６５よりも短くされて、端部強化部６３の強度が大とされているので、上記の場合に、端部強化部６３が破損、損傷する惧れは少ない。  
【００３９】
ところで、本例では、外側棒状体３８が、前端に向かうに従って内側方に移行するように、前後方向Ｆに対して傾斜状とされると共に、内側棒状体３７が外側棒状体３８よりも長くされて、内側棒状体３７が外側棒状体３８よりも前方に突出するようにされて、挿入部２９は先細状とされている。又、各棒状体３７，３８の前端部の上面が前下がりの傾斜面４１，４２とされて、各棒状体３７，３８も先細状とされている。
【００４０】
上記構成により、挿入部２９の前端部を後側挿入用開口２１から挿入用隙間１９に容易に挿入できる。
【００４１】
ところで、把手３の挿入部２９を清掃体２の挿入用隙間１９に挿入した際には、挿入された挿入部２９により、挿入用隙間１９が上下方向Ｕに拡大し、これに伴い、挿入用隙間１９が左右方向Ｌに関して縮小する。これにより、挿入部２９の抜止用凸部４４，４５が後側挿入用開口２１から挿入用隙間１９に容易に挿入できなくなったり、或いは、抜止用凸部４４，４５を挿入用隙間１９内で前方に移動させる際に、抜止用凸部４４，４５が、中央溶着部９や側部溶着部１１に引っ掛かったりすることがある。
【００４２】
しかし、本例によれば、上記の場合には、外側棒状体３８が内側方に湾曲状に弾性変形して、抜止用凸部４４，４５が内側方に移動するので、抜止用凸部４４，４５を後側挿入用開口２１から挿入用隙間１９に容易に挿入できると共に、抜止用凸部４４，４５が中央溶着部や側部溶着部に引っ掛かったりすることが殆どなく、抜止用凸部４４，４５を挿入用隙間１９内でスムーズに前方に移動させることができる。
【００４３】
又、例え、抜止用凸部４４，４５が、側部溶着部１１の前後方向中央部にある非連続溶着部６１に少し引っ掛かった場合でも、この非連続溶着部６１の外側方には小さな間隔６６を置いて強化溶着部６２が配設されて、側部溶着部１１の前後方向中央部の強度が強化されているので、側部溶着部１１の前後方向中央部が破損、損傷する惧れは少ない。更に、端部強化部６３や強化溶着部６２により、側部溶着部１１の強度も大とでき、清掃体２の把手３への装着強度を大とできる。
【００４４】
上記のようにして、挿入部２９を挿入用隙間１９の正規位置まで挿入すると、前側抜止用凸部４４が、側部溶着部１１の前から３番目と４番目の非連続溶着部６１の間に係脱自在に係合し、後側抜止用凸部４５が、側部溶着部１１の後から２番目と３番目の非連続溶着部６１の間に係脱自在に係合する。これにより、把手３と清掃体２との前後方向Ｆに関する相対的な移動が阻止され、把手３の清掃体２からの不慮の脱落が阻止される。
【００４５】
清掃時には、把手３の把持部５０を把持し、清掃体２の清掃部７により拭き清掃を行なう。
【符号の説明】
【００４６】
１  清掃用具
２  清掃体
３  把手
５  基礎シート
６  重合シート
７  清掃部
９  中央溶着部
１１  側部溶着部
１９  挿入用隙間
２０，２１  前側・後側挿入用開口
２５  挿入体
２６  把持体
２８  基部
２９  挿入部
６１  非連続溶着部
６２  強化溶着部
６３  端部強化部
６４〜６６  間隔  
Ｆ  前後方向
Ｌ  左右方向
【図１】
0003202859.tif 000003
【図２】
0003202859.tif 000004
【図３】
0003202859.tif 000005
【図４】
0003202859.tif 000006
【図５】
0003202859.tif 000007
【図６】
0003202859.tif 000008
【図７】
0003202859.tif 000009
【図８】
0003202859.tif 000010
【図９】
0003202859.tif 000011
【図１０】
0003202859.tif 000012
【図１１】
0003202859.tif 000013